【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
メダル投入口から投入されたメダルを受け入れるメダル受入口、前記メダル受入口に受け入れられたメダルを誘導する第１メダル誘導通路、前記第１メダル誘導通路に誘導されたメダルを排出するメダル排出口、および前記第１メダル誘導通路により誘導されるメダルの通過を検知する第１メダル検知装置を有し、前記メダル投入口から投入されたメダルが所定の規格に適合するか否かの選別を行うメダルセレクターと、
前記メダル排出口から排出されたメダルをメダル貯留部へ誘導する第２メダル誘導通路が形成されたベース部材を有するメダルガイドと、
前記ベース部材に取り付けられて前記第２メダル誘導通路により誘導されるメダルの通過を検知する第２メダル検知装置とを備え、
前記第２メダル検知装置は、前記第２メダル誘導通路内の所定位置に配置され前記第２メダル誘導通路を通過するメダルが接触すると基準位置から変位する接触片と、前記第２メダル誘導通路外の所定位置に配置され前記接触片の変位に連動して変位する検知片と、前記検知片の変位を検知するための変位検知センサーと、前記メダルの接触により変位した前記接触片が前記基準位置に戻るように付勢力を与えるバネ部材とを有し、
前記変位検知センサーは、検知光を発する発光部と、前記発光部から発せられた検知光を受光する受光部とを有し、前記接触片が前記基準位置に位置すると前記検知片が前記発光部と前記受光部との間に位置し、前記接触片が前記メダルの接触により変位すると前記検知片が前記発光部と前記受光部との間から退くように構成され、
前記ベース部材に、前記変位検知センサーから延びるハーネスを前記ベース部材の下方に挿通させるハーネス挿通孔が形成されることを特徴とする遊技機。
【請求項２】
前記第２メダル検知装置は、前記第２メダル誘導通路の上方に設けられて前記接触片および前記検知片を揺動可能に支持する支持軸と、前記接触片、前記検知片、前記支持軸、および前記変位検知センサーを覆って前記ベース部材の上面側に取り付けられるカバー部材とを有し、
前記第２メダル誘導通路を通過するメダルの上部が前記接触片の下部に接触すると、前記接触片が前記支持軸を中心に前記基準位置から上方へ揺動変位するように構成され、
前記カバー部材は、前記基準位置から上方へ揺動変位する前記接触片を前記カバー部材の外側に逃がして該接触片の上方を覆う庇部を有することを特徴とする請求項１記載の遊技機。
【請求項３】
前記第２メダル検知装置は、前記検知片および前記変位検知センサーを覆って前記ベース部材に取り付けられるカバー部材を有し、
前記カバー部材の内側に前記変位検知センサーが固定され、前記カバー部材における前記変位検知センサーと対向する部分に切り欠きが形成され、
前記ベース部材は、前記カバー部材が取り付けられた状態で前記切り欠きを覆う覆い部を有することを特徴とする請求項１または２に記載の遊技機。
【請求項４】
前記第２メダル誘導通路が円弧状に延伸して形成され、
前記ベース部材が前記第２メダル誘導通路の前記円弧の内側まで延びるように形成され、
前記検知片および前記変位検知センサーが前記第２メダル誘導通路の前記円弧の内側に配置されることを特徴とする請求項１から３のいずれか一項に記載の遊技機。
【請求項５】
前記第２メダル検知装置は、前記検知片および前記変位検知センサーを覆って前記ベース部材に取り付けられるカバー部材を有し、
前記変位検知センサーは、前記ハーネスの一端に設けられたハーネス側コネクタと嵌合して電気的に接続されるセンサー側コネクタを有し、
前記カバー部材は、前記カバー部材に覆われた前記変位検知センサーにおける前記センサー側コネクタを前記カバー部材の外側に挿通させるコネクタ挿通孔と、前記コネクタ挿通孔に挿通された前記センサー側コネクタを囲むコネクタ隠し部とを有することを特徴とする請求項１から４のいずれか一項に記載の遊技機。
【手続補正２】
【補正対象書類名】明細書
【補正対象項目名】００１０
【補正方法】変更
【補正の内容】
【００１０】
本発明は、遊技機に係るものであって、メダル投入口から投入されたメダルを受け入れるメダル受入口、前記メダル受入口に受け入れられたメダルを誘導する第１メダル誘導通路、前記第１メダル誘導通路に誘導されたメダルを排出するメダル排出口、および前記第１メダル誘導通路により誘導されるメダルの通過を検知する第１メダル検知装置を有し、前記メダル投入口から投入されたメダルが所定の規格に適合するか否かの選別を行うメダルセレクターと、前記メダル排出口から排出されたメダルをメダル貯留部へ誘導する第２メダル誘導通路が形成されたベース部材を有するメダルガイドと、前記ベース部材に取り付けられて前記第２メダル誘導通路により誘導されるメダルの通過を検知する第２メダル検知装置とを備え、前記第２メダル検知装置は、前記第２メダル誘導通路内の所定位置に配置され前記第２メダル誘導通路を通過するメダルが接触すると基準位置から変位する接触片と、前記第２メダル誘導通路外の所定位置に配置され前記接触片の変位に連動して変位する検知片と、前記検知片の変位を検知するための変位検知センサーと、前記メダルの接触により変位した前記接触片が前記基準位置に戻るように付勢力を与えるバネ部材とを有し、前記変位検知センサーは、検知光を発する発光部と、前記発光部から発せられた検知光を受光する受光部とを有し、前記接触片が前記基準位置に位置すると前記検知片が前記発光部と前記受光部との間に位置し、前記接触片が前記メダルの接触により変位すると前記検知片が前記発光部と前記受光部との間から退くように構成され、前記ベース部材に、前記変位検知センサーから延びるハーネスを前記ベース部材の下方に挿通させるハーネス挿通孔が形成される。
【手続補正３】
【補正対象書類名】明細書
【補正対象項目名】００１１
【補正方法】変更
【補正の内容】
【００１１】
上述の特徴点に加え、前記第２メダル検知装置は、前記第２メダル誘導通路の上方に設けられて前記接触片および前記検知片を揺動可能に支持する支持軸と、前記接触片、前記検知片、前記支持軸、および前記変位検知センサーを覆って前記ベース部材の上面側に取り付けられるカバー部材とを有し、前記第２メダル誘導通路を通過するメダルの上部が前記接触片の下部に接触すると、前記接触片が前記支持軸を中心に前記基準位置から上方へ揺動変位するように構成され、前記カバー部材は、前記基準位置から上方へ揺動変位する前記接触片を前記カバー部材の外側に逃がして該接触片の上方を覆う庇部を有してもよい。
【手続補正４】
【補正対象書類名】明細書
【補正対象項目名】００１２
【補正方法】変更
【補正の内容】
【００１２】
上述の特徴点に加え、前記第２メダル検知装置は、前記検知片および前記変位検知センサーを覆って前記ベース部材に取り付けられるカバー部材を有し、前記カバー部材の内側に前記変位検知センサーが固定され、前記カバー部材における前記変位検知センサーと対向する部分に切り欠きが形成され、前記ベース部材は、前記カバー部材が取り付けられた状態で前記切り欠きを覆う覆い部を有してもよい。
上述の特徴点に加え、前記第２メダル誘導通路が円弧状に延伸して形成され、前記ベース部材が前記第２メダル誘導通路の前記円弧の内側まで延びるように形成され、前記検知片および前記変位検知センサーが前記第２メダル誘導通路の前記円弧の内側に配置されてもよい。
【手続補正５】
【補正対象書類名】明細書
【補正対象項目名】００１３
【補正方法】変更
【補正の内容】
【００１３】
上述の特徴点に加え、前記第２メダル検知装置は、前記検知片および前記変位検知センサーを覆って前記ベース部材に取り付けられるカバー部材を有し、前記変位検知センサーは、前記ハーネスの一端に設けられたハーネス側コネクタと嵌合して電気的に接続されるセンサー側コネクタを有し、前記カバー部材は、前記カバー部材に覆われた前記変位検知センサーにおける前記センサー側コネクタを前記カバー部材の外側に挿通させるコネクタ挿通孔と、前記コネクタ挿通孔に挿通された前記センサー側コネクタを囲むコネクタ隠し部とを有してもよい。
【手続補正６】
【補正対象書類名】明細書
【補正対象項目名】００１４
【補正方法】変更
【補正の内容】
【００１４】
本発明によれば、メダルガイドに、メダル排出口から排出されたメダルを誘導するための第２メダル誘導通路と、第２メダル誘導通路により誘導されるメダルの通過を検知するための第２メダル検知装置とを設けるとともに、第２メダル検知装置については、第２メダル誘導通路を通過するメダルが接触すると変位する接触片と、接触片の変位に連動して変位する検知片と、検知片の変位を検知するための変位検知センサーとを備えた構成となっている。このように、メダルセレクターの第１メダル検知装置に加えて、機械的な接触を介してメダルの通過を検知する、第２メダル検知装置を設けたことから、第２メダル検知装置の検知片と変位検知センサーとに対するアクセスを困難にすることにより、長尺の異物を用いて変位検知センサーに誤作動を起こさせる不正行為を防止できる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
また、メダル投入口から挿入された長尺の異物の先端は、円弧状に湾曲した第２メダル誘導通路の外側壁部に摺りながら、第２メダル誘導通路内を上流側から下流側へ向けて進むため、円弧状に湾曲した第２メダル誘導通路の内側壁部よりも内側には到達しない。そして、変位検知センサーを、円弧状に湾曲した第２メダル誘導通路の内側壁部よりも内側に配置したことから、メダル投入口から挿入された長尺の異物の先端が、変位検知センサーには到達しないので、変位検知センサーに対する不正行為を防止できる。
【手続補正１０】
【補正対象書類名】明細書
【補正対象項目名】００１８
【補正方法】変更
【補正の内容】
【００１８】
また、カバー部材が変位検知センサーを覆った状態では、センサー側コネクタからハーネス側コネクタを取り外すことができないように形成することで、センサー側コネクタとハーネス側コネクタとの間に不正な電子回路を接続する、「ぶら下げ」あるいは「ぶら下がり」などと呼ばれる不正行為を防止できる。